(57)【要約】【課題】実装部品の検査を容易且つ正確に行うことができる。【解決手段】データベース３０には、注文情報ごとに付与されるシリアル番号に対応する形式で顧客が希望する構成部品に関する情報（指定部品に関する情報）が記憶されている。検査端末４０は、まずパソコン６０に貼付されたバーコード６４つまりシリアル番号を読み取り、そのシリアル番号に対応する指定部品に関する情報をデータベース３０から読み出す。次いで、検査端末４０は、パソコン６０に対して各種実装部品に関する情報を要求したあとパソコン６０からその応答を受信し、実装部品に関する情報と指定部品に関する情報とを比較し、比較結果をディスプレイ４２上に表示する。その後、検査端末４０は、シリアル番号に対応する形式で検査結果（検査良好又は検査不良）をデータベース３０に登録する。【選択図】　図１
2004005392.tif 000002
【特許請求の範囲】
【請求項１】
所定製品を予め定められた指定部品を用いて完成させたあと該完成した所定製品に実装されている実装部品の検査を行う実装部品検査システムであって、
前記指定部品に関する情報を記憶可能な情報記憶手段と、
前記指定部品に関する情報を前記情報記憶手段が記憶するよう制御する記憶制御手段と、
前記完成した所定製品に実装されている実装部品に関する情報を前記所定製品から取得する取得手段と、
前記取得手段が取得した前記実装部品に関する情報と前記情報記憶手段に記憶されている前記指定部品に関する情報とを比較する比較手段と、
前記比較手段の結果を出力可能な出力手段と、
前記比較手段の結果を前記出力手段が出力するよう制御する出力制御手段と
を備えた実装部品検査システム。
【請求項２】
請求項１記載の実装部品検査システムであって、
前記比較手段の結果を記憶可能な結果記憶手段を備え、
前記記憶制御手段は、前記結果記憶手段が前記比較手段の結果と前記所定製品とを対応付けて記憶するよう制御する
実装部品検査システム。
【請求項３】
前記記憶制御手段は、前記結果記憶手段が前記比較手段の結果と前記所定製品とを対応付けて記憶するよう制御するにあたり、前記比較手段の結果を前記実装部品に関する情報と前記指定部品に関する情報とを部品ごとに対比した形式で記憶するよう制御する
請求項２記載の実装部品検査システム。
【請求項４】
前記取得手段は、前記完成した所定製品に実装されている実装部品に関する情報を前記所定製品から取得するのに加えて、出荷後にシステム側で修理された前記所定製品に実装されている実装部品に関する情報を前記所定製品から取得し、
前記記憶制御手段は、前記完成した所定製品に実装されている実装部品に関する情報と前記情報記憶手段に記憶されている前記指定部品に関する情報とを比較した結果に加えて、前記修理された所定製品に実装されている実装部品に関する情報と前記情報記憶手段に記憶されている前記指定部品に関する情報とを比較した結果を前記所定製品に対応付けて前記結果記憶手段が記憶するよう制御する
請求項２又は３記載の実装部品検査システム。
【請求項５】
請求項２〜４のいずれかに記載の実装部品検査システムであって、
前記結果記憶手段に接続されると共にネットワークを介してユーザのコンピュータに接続された情報配信手段を備え、
前記情報配信手段は、ネットワークを介して前記ユーザのコンピュータから所定製品に関する問い合わせを受けたとき、前記比較手段の結果のうち該所定製品に対応付けられたものを前記結果記憶手段から読み出し該読み出した情報に基づいて前記ユーザのコンピュータに応答する
実装部品検査システム。
【請求項６】
請求項１〜５のいずれかに記載の実装部品検査システムであって、
前記指定部品に関する情報を含む前記所定製品の注文情報を入力する入力手段を備え、
前記記憶制御手段は、前記入力手段により入力された前記指定部品に関する情報を前記情報記憶手段が記憶するよう制御する
実装部品検査システム。
【請求項７】
前記入力手段は、前記注文情報をネットワークを介して入力する
請求項６記載の実装部品検査システム。
【請求項８】
請求項６又は７記載の実装部品検査システムであって、
前記入力手段によって入力された前記注文情報ごとに識別符号を付与する識別符号付与手段を備え、
前記記憶制御手段は、前記情報記憶手段が前記識別符号と前記指定部品に関する情報とを対応付けて記憶するよう制御する
実装部品検査システム。
【請求項９】
請求項８記載の実装部品検査システムであって、
前記注文情報に応じて完成された所定製品に付された前記識別符号を読み取る読取手段と、
前記読み取った識別符号に対応する前記指定部品に関する情報を前記情報記憶手段から読み出す読出手段と
を備え、
前記比較手段は、前記取得手段が取得した前記実装部品に関する情報と前記読出手段が読み出した前記指定部品に関する情報とを比較する
実装部品検査システム。
【請求項１０】
請求項１〜９のいずれかに記載の実装部品検査システムであって、
前記取得手段は、前記所定製品へ前記実装部品に関する情報を要求したあと前記所定製品から前記情報を受信する
実装部品検査システム。
【請求項１１】
前記所定製品はコンピュータ製品であり、前記部品は前記コンピュータ製品のハードウェア及びソフトウェアである
請求項１〜１０記載の実装部品検査システム。
【請求項１２】
前記情報記憶手段は、システムから外して持ち運び可能な記録媒体である
請求項１〜１１のいずれかに記載の実装部品検査システム。
【請求項１３】
前記情報記憶手段は、システム内部の記録媒体である
請求項１〜１１のいずれかに記載の実装部品検査システム。
【請求項１４】
前記指定部品は、前記所定製品を注文する顧客が指定した部品である
請求項１〜１３のいずれかに記載の実装部品検査システム。
【請求項１５】
情報記憶手段と出力手段とを備えた１又は複数のコンピュータを用いて、所定製品を予め定められた指定部品を用いて完成させたあと該完成した所定製品に実装されている実装部品の検査を行う実装部品検査方法であって、
前記コンピュータが、前記指定部品に関する情報を前記情報記憶手段に記憶させ、前記完成した所定製品に実装されている実装部品に関する情報を前記所定製品から取得し、該取得した前記実装部品に関する情報と前記情報記憶手段に記憶されている前記指定部品に関する情報とを比較し、該比較結果を前記出力手段が出力するよう制御する
実装部品検査方法。
【請求項１６】
所定製品を予め定められた指定部品を用いて完成させたあと該完成した所定製品に実装されている実装部品の検査を行うための実装部品検査プログラムであって、
１又は複数のコンピュータを、前記指定部品に関する情報を情報記憶手段が記憶するよう制御する記憶制御手段、前記完成した所定製品に実装されている実装部品に関する情報を前記所定製品から取得する取得手段、前記取得手段が取得した前記実装部品に関する情報と前記情報記憶手段に記憶されている前記指定部品に関する情報とを比較する比較手段、前記比較手段の結果を出力手段が出力するよう制御する出力制御手段として機能させるための実装部品検査プログラム。
【発明の詳細な説明】
【０００１】
【発明の属する技術分野】
本発明は、実装部品検査システム、その方法及びそのプログラムに関する。
【０００２】
【従来の技術】
近年、インターネット上の顧客が商品を購入する際、その商品を構成する部品につき顧客が自分の希望する商品を指定して注文するウェブサイトが提供されている。ウェブサイトを運営している製造者は、顧客から商品の注文を受けると、顧客が希望した部品をピックアップしてこれらを組み立てることによりその顧客が注文した商品を完成させ、完成した商品を顧客に発送している。
【０００３】
【発明が解決しようとする課題】
しかしながら、顧客に発送する前に、その商品に実装されている部品と顧客の希望した部品とが一致しているか否かを検査する必要があるが、検査工程票のような書類を用いて行う場合には検査作業が煩雑であり、また正確性が十分ではないという問題があった。
【０００４】
本発明は、このような問題に鑑みなされたものであり、実装部品の検査を容易且つ正確に行うことのできる実装部品検査システム及びその方法を提供することを目的の一つとする。また、コンピュータをそのような実装部品検査システムとして機能させるためのプログラムを提供することを目的の一つとする。
【０００５】
【課題を解決するための手段およびその作用・効果】
上述の目的の一つを達成するため、本発明の第１は、所定製品を予め定められた指定部品を用いて完成させたあと該完成した所定製品に実装されている実装部品の検査を行う実装部品検査システムであって、
前記指定部品に関する情報を記憶可能な情報記憶手段と、
前記指定部品に関する情報を前記情報記憶手段が記憶するよう制御する記憶制御手段と、
前記完成した所定製品に実装されている実装部品に関する情報を前記所定製品から取得する取得手段と、
前記取得手段が取得した前記実装部品に関する情報と前記情報記憶手段に記憶されている前記指定部品に関する情報とを比較する比較手段と、
前記比較手段の結果を出力可能な出力手段と、
前記比較手段の結果を前記出力手段が出力するよう制御する出力制御手段と
を備えたものである。
【０００６】
この実装部品検査システムでは、完成した所定製品に実装されている実装部品に関する情報を所定製品から取得し、この実装部品に関する情報と情報記憶手段に記憶されている指定部品に関する情報とを比較し、その比較結果を出力手段に出力する。したがって、書類を用いて検査をする場合に比べて、実装部品の検査を容易且つ正確に行うことができる。なお、「部品」とはハードウェアのみならずソフトウェアも含むものとする（以下同じ）。
【０００７】
本発明の実装部品検査システムは、前記比較手段の結果を記憶可能な結果記憶手段を備え、前記記憶制御手段は、前記結果記憶手段が前記比較手段の結果と前記所定製品とを対応付けて記憶するよう制御してもよい。こうすれば、結果記憶手段にアクセスすることにより所定製品についての検査結果を容易に入手できるため、履歴管理が可能となる。
【０００８】
結果記憶手段を備えた本発明の実装部品検査システムにおいて、前記記憶制御手段は、前記結果記憶手段が前記比較手段の結果と前記所定製品とを対応付けて記憶するよう制御するにあたり、前記比較手段の結果を前記実装部品に関する情報と前記指定部品に関する情報とを部品ごとに対比した形式で記憶するよう制御してもよい。こうすれば、指定した部品が正しく実装されているか否かを部品ごとに対比しながら把握することができる。
【０００９】
結果記憶手段を備えた本発明の実装部品検査システムにおいて、前記取得手段は、前記完成した所定製品に実装されている実装部品に関する情報を前記所定製品から取得するのに加えて、出荷後にシステム側で修理された前記所定製品に実装されている実装部品に関する情報を前記所定製品から取得し、前記記憶制御手段は、前記完成した所定製品に実装されている実装部品に関する情報と前記情報記憶手段に記憶されている前記指定部品に関する情報とを比較した結果に加えて、前記修理された所定製品に実装されている実装部品に関する情報と前記情報記憶手段に記憶されている前記指定部品に関する情報とを比較した結果を前記所定製品に対応付けて前記結果記憶手段が記憶するよう制御してもよい。こうすれば、結果記憶手段にアクセスすることにより、所定製品について出荷前の実装部品の検査結果と出荷後修理された段階での実装部品の検査結果とを容易に入手できるため、トレーサビリティ履歴管理が可能となる。
【００１０】
結果記憶手段を備えた本発明の実装部品検査システムにおいて、前記結果記憶手段に接続されると共にネットワークを介してユーザのコンピュータに接続された情報配信手段を備え、前記情報配信手段は、ネットワークを介して前記ユーザのコンピュータから所定製品に関する問い合わせを受けたとき、前記比較手段の結果のうち該所定製品に対応付けられたものを前記結果記憶手段から読み出し該読み出した情報に基づいて前記ユーザのコンピュータに応答するようにしてもよい。こうすれば、ユーザはネットワーク（例えばインターネットやイントラネット等）を介して所定製品についての検査結果を容易に入手できる。
【００１１】
本発明の実装部品検査システムは、前記指定部品に関する情報を含む前記所定製品の注文情報を入力する入力手段を備え、前記記憶制御手段は、前記入力手段により入力された前記指定部品に関する情報を前記情報記憶手段が記憶するよう制御してもよい。こうすれば、注文情報が入力されたときに情報記憶手段に指定部品に関する情報を記憶させることができる。
【００１２】
ここで、前記入力手段は、前記注文情報をキーボードやマウスなどのオペレータが入力する手段であってもよいが、前記注文情報をネットワークを介して入力することが好ましい。こうすれば、顧客はネットワークを介して注文できるため便利である。ネットワークとしては、イントラネットやＬＡＮなどであってもよいが、インターネットであることが好ましい。こうすれば、顧客はウェブサイトを介して注文できるため便利であり、注文を受ける側においても注文入力を省力化できるため聞き間違いや打ち込みミス等による受注ミスも発生しない。
【００１３】
本発明の実装部品検査システムは、前記入力手段及び前記記憶制御手段を備えている場合、更に、前記入力手段によって入力された前記注文情報ごとに識別符号を付与する識別符号付与手段を備え、前記記憶制御手段は、前記情報記憶手段が前記識別符号と前記指定部品に関する情報とを対応付けて記憶するよう制御してもよい。こうすれば、注文情報を識別符号に置き換えて管理するため管理しやすい。この実装部品検査システムは、更に、前記注文情報に応じて完成された所定製品に付された前記識別符号を読み取る読取手段と、前記読み取った識別符号に対応する前記指定部品に関する情報を前記情報記憶手段から読み出す読出手段とを備え、前記比較手段は、前記取得手段が取得した前記実装部品に関する情報と前記読出手段が読み出した前記指定部品に関する情報とを比較してもよい。こうすれば、所定製品に付された識別符号に対応する指定部品に関する情報を読み出して比較を行うため、誤って所定製品に対応しない指定部品に関する情報を読み出すことがない。
【００１４】
本発明の実装部品検査システムは、前記取得手段は、前記所定製品へ前記実装部品に関する情報を要求したあと前記所定製品から前記情報を受信してもよい。こうすれば、所定製品から受信した実装部品に関する情報を用いて比較を行うため、誤って所定製品に対応しない実装部品に関する情報を用いて比較を行うことがない。
【００１５】
本発明の実装部品検査システムにおいて、前記所定製品は複数の部品で構成されるものであれば特に限定されるものではなく、例えば家電製品、自動車、自転車、オートバイ、家具、衣服、食品などとしてもよいが、コンピュータ製品としてもよく、その場合、部品はハードウェア（ＣＰＵ、メモリ、ＨＤＤ、ディスプレイなど）やソフトウェア（ＯＳ、各種アプリケーションソフトなど）としてもよい。
【００１６】
本発明の実装部品検査システムにおいて、前記情報記憶手段は、システムから外して持ち運び可能な記録媒体としてもよい。このような記録媒体としては、例えば、ＦＤ、ＣＤ、ＤＶＤ、ＭＯなどのほか２次元バーコードシールなどが挙げられる。あるいは、前記情報記憶手段は、システム内部の記録媒体としてもよい。こうすれば、持ち運び可能な記録媒体を用いる場合に比べて抜き差しする必要がないため記憶内容を容易に更新することができる。
【００１７】
本発明の実装部品検査システムにおいて、前記指定部品は、前記所定製品を注文する顧客が指定した部品であってもよい。こうすれば、顧客が指定した部品と実装部品とが一致しているか否かの検査を容易且つ正確に行うことができるので実装ミスが防止でき、ひいては所定製品を注文した顧客の満足度が上がる。
【００１８】
本発明の第２は、情報記憶手段と出力手段とを備えた１又は複数のコンピュータを用いて、所定製品を予め定められた指定部品を用いて完成させたあと該完成した所定製品に実装されている実装部品の検査を行う実装部品検査方法であって、前記コンピュータが、前記指定部品に関する情報を前記情報記憶手段に記憶させ、前記完成した所定製品に実装されている実装部品に関する情報を前記所定製品から取得し、該取得した前記実装部品に関する情報と前記情報記憶手段に記憶されている前記指定部品に関する情報とを比較し、該比較結果を前記出力手段が出力するよう制御するものである。この実装部品検査方法によれば、書類を用いて検査をする場合に比べて、実装部品の検査を容易且つ正確に行うことができる。
【００１９】
本発明の第３は、所定製品を予め定められた指定部品を用いて完成させたあと該完成した所定製品に実装されている実装部品の検査を行うための実装部品検査プログラムであって、コンピュータを、前記指定部品に関する情報を情報記憶手段が記憶するよう制御する記憶制御手段、前記完成した所定製品に実装されている実装部品に関する情報を前記所定製品から取得する取得手段、前記取得手段が取得した前記実装部品に関する情報と前記情報記憶手段に記憶されている前記指定部品に関する情報とを比較する比較手段、前記比較手段の結果を出力手段が出力するよう制御する出力制御手段として機能させるためのプログラムである。本発明のプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをコンピュータに実行させれば、コンピュータは、完成した所定製品に実装されている実装部品に関する情報を所定製品から取得し、この実装部品に関する情報と情報記憶手段に記憶されている指定部品に関する情報とを比較し、その比較結果を出力手段に出力する。したがって、書類を用いて検査をする場合に比べて、実装部品の検査を容易且つ正確に行うことができる。
【００２０】
【発明の実施の形態】
次に、本発明の実施の形態を図面に基づいて説明する。図１は、本実施形態の実装部品検査システム１０の概略構成を表す説明図である。
【００２１】
実装部品検査システム１０は、コンピュータ製品の販売を行うウェブサイトを運営するウェブサーバ２０と、このウェブサーバ２０からの注文情報のほか各種情報を記憶可能なデータベース３０と、このデータベース３０に対しデータの抽出・保存を行うアプリケーションサーバ２５と、このアプリケーションサーバ２５を介してデータベース３０に対し情報照会を行う情報照会用ＰＣ２８と、検査対象となるパソコン６０に実装されている部品の検査を行う検査端末４０と、検査端末４０に接続され検査対象となるパソコン６０に付されたバーコード６４を読み取るバーコードリーダ５０を備えている。
【００２２】
ウェブサーバ２０は、インターネットを介してクライアントＰＣ５０に接続される。このウェブサーバ２０が運営するウェブサイトでは、パソコンを販売するにあたり、ＣＰＵ、メモリ、ＨＤＤをはじめ各種部品を自由に選択できるＢＴＯ（Ｂｕｉｌｄ　Ｔｏ　Ｏｒｄｅｒ）　と称するサービスを提供し、顧客の希望する部品で構成されたパソコンを注文できるようにしている。
【００２３】
データベース３０は、クライアントＰＣ５０からインターネット経由でウェブサーバ２０へ送信されてきた注文情報を記憶するものであり、購入製品の機種名や顧客が希望する構成部品などの購入製品データのほか、顧客の氏名、住所、電話番号、メールアドレスなどの顧客データや、支払い方法に関するデータなどを記憶する。このデータベース３０は、各注文情報ごとに付与されるシリアル番号と対応する形式で購入製品データや顧客データなどを記憶する。
【００２４】
アプリケーションサーバ２５は、情報照会用ＰＣ２８からの検索要求に応じてデータベース３０を検索してデータの抽出を行い、その結果を情報照会用ＰＣ２８へ送信する。
【００２５】
検査端末４０は、データベース３０に記憶された情報を読み出したりデータベース３０に各種情報を書き込んだりすることが可能なようにデータベース３０と接続され、各種情報をディスプレイ４２に出力可能なようにディスプレイ４２と接続され、検査対象となるパソコン６０と通信可能なように通信線４４を介して接続されている。また、検査端末４０は、検査対象となるパソコン６０の裏側に貼られたバーコードラベル６２のバーコード６４を読み取るバーコードリーダ５０と接続されている。このバーコード６４は、各注文情報ごとにウェブサーバ２０によって付与されるシリアル番号を表している。そして、各注文情報に応じて組み立てられたパソコン６０には、その注文情報に対応するシリアル番号をバーコード化したバーコードラベル６２が貼付される。
【００２６】
検査対象となるパソコン６０は、起動プログラムが記録されたＦＤ６６がパソコン６０の図示しないＦＤドライブ装置に挿入されることにより、この起動プログラムを実行し、検査端末４０の要求信号に応じてパソコン６０に実装されているハードウェア構成やソフトウェア構成に関する情報を応答信号として出力する。
【００２７】
次に、顧客がクライアントＰＣ５０を利用してウェブサーバ２０が運営するウェブサイトでパソコンを購入する場合について説明する。顧客はこのウェブサイトで購入製品として「タワー型パソコン　機種名○○」を選択したとする。すると、ウェブサーバ２０は、ＢＴＯによりこのパソコンを構成する各種部品を選択する画面をインターネット経由でクライアントＰＣ５０へ送信する。図２は、このときの表示画面を表す説明図である。ここでは、「本体必須仕様」として「ＯＳ」「ＣＰＵ」「メモリ」等をプルダウンメニューの中から自分の希望するものを選択できるようになっており、また、「オプション＆サービス」として「ディスプレイ」「アプリケーション」等をプルダウンメニューの中から自分の希望するものを選択できるようになっている。そして、プルダウンメニューの中から自分の希望するものを選択すると、その選択した部品の価格が「小計」欄、「消費税」欄、「合計」欄に反映される。「数量」欄にはデフォルト値として「１」が入力されているが、２台以上購入する場合にはその台数を入力する。この表示画面における入力が終わって「次へ」をクリックすると、支払い方法を設定する表示画面（図示せず）に進む。そこで、顧客は支払い方法を設定し、設定が終わったら更に顧客データを入力する表示画面（図示せず）に進んで住所、氏名等を入力したあと、注文ボタンをクリックすることにより、インターネット経由でクライアントＰＣ５０からウェブサーバ２０へ注文情報が送信される。すると、ウェブサーバ２０は、その注文情報にシリアル番号を付与し、付与したシリアル番号に対応する形式でその注文情報に含まれる購入製品データや顧客データなどをデータベース３０に記憶させる。そして、この注文情報に応じたパソコンを組み立てるよう組立工場に指示が出され、組立工場でその指示に応じて顧客が希望する部品をピックアップしそれらの部品を組み立てることによりパソコンが完成される。この完成したパソコンは出荷前に検査対象となり、以下に述べるような検査が行われて顧客が指定した部品が間違いなく用いられていることが確認されたあと出荷される。
【００２８】
次に、本実施形態の実装部品検査システム１０の動作について説明する。バーコードラベル６２の貼付された検査対象となるパソコン６０を通信線４４を介して検査端末４０と接続する。また、パソコン６０にＦＤ６６を挿入して起動プログラムを起動しておく。
【００２９】
この状態で、検査端末４０の検査プログラムを開始すると、検査端末４０は、図３に示すように、まずバーコードリーダ５０によってパソコン６０に貼付されたバーコードラベル６２のバーコード６４が読み取られたか否かを判定し（ステップＳ１００）、読み取られていないときにはそのまま待機し、読み取られたときにはそのバーコード６４つまりシリアル番号に対応する指定部品に関する情報をデータベース３０から読み出し検査端末４０のメモリに記憶する（ステップＳ１１０）。即ち、データベース３０には、図４に示すように、シリアル番号に対応する形式で購入製品データが記憶され、その購入製品データには顧客が希望する構成部品に関する情報（指定部品に関する情報）、具体的にはＣＰＵの名称やクロック周波数、メモリの容量、ＯＳやアプリケーションソフトのファイル情報など、が含まれているため、検査端末４０はデータベース３０からシリアル番号に対応する指定部品に関する情報を読み出すことができる。
【００３０】
次いで、検査端末４０は、パソコン６０に対してハードウェア情報を要求する要求信号を送信したあとパソコン６０からハードウェア情報の応答信号を受信し（ステップＳ１２０）、受信したハードウェア情報に含まれるＣＰＵ情報やメモリ情報などと、データベース３０から取得した指定部品に関する情報に含まれるＣＰＵ情報やメモリ情報などとを比較し（ステップＳ１３０）、比較結果をディスプレイ４２上に表示する（ステップＳ１４０）。即ち、前者と後者とが一致したときには検査良好と表示し、前者と後者とが不一致のときには検査不良と表示する。ここで、ＣＰＵの比較としては、名称の比較やクロック周波数の比較（実際にクロック数を計測し指定のクロック数との誤差±１％までを等しいとする）などが挙げられ、メモリの比較としては、メモリ容量の比較などが挙げられる。
【００３１】
次いで、検査端末４０は、パソコン６０に対してソフトウェア情報を要求する要求信号を送信したあとパソコン６０からソフトウェア情報の応答信号を受信し（ステップＳ１５０）、データベース３０から取得した指定部品に関する情報に含まれるＯＳや各種アプリケーションのファイル情報と受信したソフトウェア情報に含まれるＯＳや各種アプリケーションのファイル情報とを比較し（ステップＳ１６０）、比較結果をディスプレイ４２上に表示する（ステップＳ１７０）。即ち、前者と後者とが一致したときには検査良好と表示し、前者と後者とが不一致のときには検査不良と表示する。
【００３２】
次いで、検査端末４０は、全工程の判定結果をディスプレイ４２に表示し（ステップＳ１８０）、パソコン６０へ検査終了を通知する（ステップＳ１９０）。この通知を受けたパソコン６０は起動プログラムを終了する。その後、検査端末４０は、図５に示すように、シリアル番号に対応する形式で検査結果（検査良好又は検査不良）をデータベース３０に登録し（ステップＳ２００）、この検査プログラムを終了する。なお、全工程の判定結果のうち一つでも検査不良がある製品については出荷を禁止する。
【００３３】
ここで、本実施形態の構成要素と本発明の構成要素との対応関係を明らかにする。本実施形態のデータベース３０が本発明の情報記憶手段及び結果記憶手段に相当し、検査端末４０が取得手段、比較手段、出力制御手段及び読出手段に相当し、ディスプレイ４２が出力手段に相当し、ウェブサーバ２０が入力手段及び付与手段に相当し、バーコードリーダ５０が読取手段に相当する。
【００３４】
以上詳述した本実施形態によれば、注文情報に応じて完成させたパソコン６０に実装されている実装部品（ハードウェア構成やソフトウェア構成）に関する情報をパソコン６０から取得し、この実装部品に関する情報とデータベース３０に記憶されている指定部品に関する情報とを比較し、その比較結果をディスプレイ４２に出力するため、書類を用いて検査をする場合に比べて、実装部品の検査を容易且つ正確に行うことができ、ひいては所定製品を注文した顧客の満足度が上がる。
【００３５】
また、データベース３０にはパソコン６０に固有のシリアル番号と検査結果とが対応付けて記憶されるため、作業担当者が使用する情報照会用ＰＣ２８がアプリケーションサーバ２５を介してデータベース３０にアクセスすることによりパソコン６０についての検査結果を容易に入手でき、履歴管理が可能となる。
【００３６】
更に、ウェブサーバ２０はインターネットを介してクライアントＰＣ５０から注文情報を入力するため、顧客はウェブサーバ２０が運営するウェブサイトを通じて注文でき便利である。
【００３７】
更にまた、注文情報をシリアル番号に置き換えて管理するため管理しやすい。特に、注文情報に応じて完成させたパソコン６０にシリアル番号を表すバーコード６４が印字されたバーコードラベル６２を貼付し、このバーコード６４をバーコードリーダ５０が読み取り、バーコード６４（シリアル番号）に対応付けられている指定部品に関する情報をデータベース３０から読み出し、これとパソコン６０から受信した実装部品に関する情報とを比較して比較結果をシリアル番号に対応付けてデータベース３０に登録することから、誤ってパソコン６０に対応しない指定部品に関する情報を読み出すことがないし、誤ってパソコン６０に対応しない実装部品に関する情報を用いて比較を行うこともない。
【００３８】
なお、本発明は上述した実施形態に何ら限定されるものではなく、本発明の技術的範囲に属する限り種々の態様で実施できることはいうまでもない。
【００３９】
例えば、上述した実施形態ではデータベース３０から指定部品に関する情報を読み出したが、図６に示すように、指定部品に関する情報をパソコン６０の組立工程や検査項目を表す組立検査工程表７０に貼付される２次元バーコードラベル７２に記憶しておき、検査端末４０がバーコードリーダ５０を介してこの２次元バーコードつまり指定部品に関する情報を読み出して検査を行ってもよい。こうすれば、検査端末４０をスタンドアローンで使用することができる。あるいは、２次元バーコードに代えて、ＦＤに指定部品に関する情報を記憶しておき、検査端末４０がこのＦＤから指定部品に関する情報を読み出して検査を行ってもよい。あるいは、検査対象となるパソコン６０のＦＤ６６に指定部品に関する情報も記憶しておき、パソコン６０だけで実装部品の検査を行ってもよい。
【００４０】
また、上述した実施形態ではインターネット経由で注文された場合を例にあげて説明したが、電話での注文についてもオペレータがデータベース３０にキーボードやマウスなどを用いて入力し、上述した実施形態と同様、完成したパソコン６０の検査を行ってもよい。
【００４１】
更に、上述した実施形態ではデータベース３０から取得した指定部品に関する情報とパソコン６０から取得した実装部品に関する情報とを比較したが、それに加えて、パソコン６０に貼付されたＣＯＡラベル（ＣＯＡはｃｅｒｔｉｆｉｃａｔｅ　ｏｆ　ａｕｔｈｅｎｔｉｃｉｔｙの略、ＯＳの種別やＢＩＯＳのバージョン情報がバーコード化されたもの）のバーコードをバーコードリーダ５０で読み取り、そのバーコードから取得した指定部品に関する情報（ＯＳの種別やＢＩＯＳのバージョン情報）とパソコン６０から取得した実装部品に関する情報との比較を行い、その比較結果をディスプレイ４２上に表示してもよい。もちろん、ＯＳの種別やＢＩＯＳのバージョン情報をシリアル番号に対応付けてデータベース３０に記憶しておき、データベース３０から読み出してもよい。
【００４２】
更にまた、上述した実施形態では、図５に示すように検査結果（比較結果）として検査良好か検査不良かをデータベース３０に登録したが、図７に示すように検査結果（比較結果）として、希望部品に関する情報と実装部品に関する情報とを部品ごとに対比した形式で検査結果をデータベース３０に登録してもよい。こうすれば、指定した部品が正しく実装されているか否かを部品ごとに対比しながら把握することができる。例えばＣＰＵを例に挙げると、ＣＰＵの検査結果が検査良好であったとき、そのＣＰＵの名称及びクロック周波数が希望部品と実装部品とで一致しているかどうかを対比して確認することができる。
【００４３】
そしてまた、上述した実施形態では、出荷前のパソコン６０を検査対象としたが、出荷後にシステム側に返送され修理されたパソコン６０を検査対象に加えてもよい。即ち、出荷後にシステム側で修理されたパソコン６０を検査対象として検査端末４０の検査プログラム（図３参照）を実行することにより検査結果を得て、その検査結果をバーコード６４つまりシリアル番号に対応する形式で出荷後（修理１回目）の検査結果としてデータベース３０に登録してもよい。このときのデータベース３０の登録内容を図８に示す。図８では、出荷前の段階で行った検査結果が履歴欄に「出荷前」と入力した状態で登録され、出荷後修理１回目の段階で行った検査結果が履歴欄に「出荷後（修理１回目）」と入力した状態で登録されている。また、出荷後修理Ｎ回目（Ｎ＝２，３，…）についても、履歴欄に「出荷後（修理Ｎ回目）」と入力した状態で順次登録されていく。こうすれば、データベース３０にアクセスすることにより、特定のシリアル番号が付されたパソコン６０について出荷前の実装部品の検査結果と出荷後修理された段階での実装部品の検査結果とを容易に入手できるため、履歴管理が可能となり、トレーサビリティが良好になる。なお、図８において、各履歴ごとに検査結果のみを登録するだけでなく、図７に示したように希望部品に関する情報と実装部品に関する情報とを部品ごとに対比した形式で検査結果を登録してもよい。
【００４４】
そして更に、上述した実施形態では、システム内で使用される情報照会用ＰＣ２８がアプリケーションサーバ２５を介してデータベース３０にアクセスすることによりパソコン６０についての検査結果を入手できるようにしたが、これとは別に又はこれに加えて、クライアントＰＣ５０がインターネットを介してパソコン６０に関する検査結果の問い合わせ要求をパソコン６０のシリアル番号と共にウェブサーバ２０へ送信したとき、ウェブサーバ２０はデータベース３０にアクセスすることによりパソコン６０のシリアル番号に対応する検査結果を読み出し、読み出した検査結果をそのまま又は加工してクライアントＰＣ５０に送信してもよい。こうすれば、ユーザはインターネットを介してパソコン６０についての検査結果を容易に入手できる。
【図面の簡単な説明】
【図１】本実施形態の実装部品検査システムの概略構成を表す説明図。
【図２】ウェブサイトの一表示画面の説明図。
【図３】検査端末が実行する検査プログラムのフローチャート。
【図４】購入製品データのデータ構造の模式図。
【図５】検査結果のデータ構造の模式図。
【図６】他の実施形態の実装部品検査システムの概略構成を表す説明図。
【図７】他の実施形態の検査結果のデータ構造の模式図。
【図８】他の実施形態の検査結果のデータ構造の模式図。
【符号の説明】
１０…実装部品検査システム、２０…ウェブサーバ、２５…アプリケーションサーバ、２８…情報照会用ＰＣ、３０…データベース、４０…検査端末、４２…ディスプレイ、４４…通信線、５０…バーコードリーダ、６０…パソコン、６２…バーコードラベル、６４…バーコード。
【図１】
2004005392.tif 000003
【図２】
2004005392.tif 000004
【図３】
2004005392.tif 000005
【図４】
2004005392.tif 000006
【図５】
2004005392.tif 000007
【図６】
2004005392.tif 000008
【図７】
2004005392.tif 000009
【図８】
2004005392.tif 000010